【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
少なくとも１つの表面を有する第一の生体適合性ポリマー材料及びその少なくとも一部の中に解放可能に取り込まれた治療剤、
前記第一の生体適合性ポリマー材料に取り込まれた前記治療剤に対して不透過性である生体適合性ポリマーバリア、及び、
前記少なくとも１つの表面の実質的にすべてを覆っている不透過性キャッピング層、
を含む、治療剤解放性材料。
【請求項２】
前記不透過性キャッピング層中に形成された少なくとも１つの開口部をさらに含む、請求項１記載の治療剤解放性材料。
【請求項３】
前記治療剤解放性材料の下にある基材材料をさらに含む、請求項１記載の治療剤解放性材料。
【請求項４】
前記治療剤解放性材料の下にある基材材料をさらに含む、請求項２記載の治療剤解放性材料。
【請求項５】
前記第一の生体適合性ポリマー材料はフルオロポリマー組成物を含む、請求項１記載の治療剤解放性材料。
【請求項６】
前記フルオロポリマーは多孔性ポリテトラフルオロエチレンである、請求項５記載の治療剤解放性材料。
【請求項７】
前記生体適合性ポリマーバリアはシリコーン組成物である、請求項１記載の治療剤解放性材料。
【請求項８】
前記治療剤はリン酸デキサメタゾンナトリウムである、請求項１記載の治療剤解放性材料。
【請求項９】
少なくとも１つの表面を有する多孔性生体適合性ポリマー材料、
生体適合性フルオロポリマーコポリマーと解放可能に混合されておりかつ前記多孔性生体適合性ポリマー材料の孔中に取り込まれている治療剤、
前記多孔性生体適合性ポリマー材料に取り込まれた前記治療剤に対して不透過性である生体適合性ポリマーバリア、及び、
前記少なくとも１つの表面の実質的にすべてを覆っている不透過性キャッピング層、
を含む、治療剤解放性材料。
【請求項１０】
前記不透過性キャッピング層中に形成された少なくとも１つの開口部をさらに含む、請求項９記載の治療剤解放性材料。
【請求項１１】
前記治療剤解放性材料の下にある基材材料をさらに含む、請求項９記載の治療剤解放性材料。
【請求項１２】
前記治療剤解放性材料の下にある基材材料をさらに含む、請求項１０記載の治療剤解放性材料。
【請求項１３】
前記多孔性生体適合性ポリマー材料はフルオロポリマー組成物を含む、請求項９記載の治療剤解放性材料。
【請求項１４】
前記多孔性フルオロポリマーは多孔性ポリテトラフルオロエチレンである、請求項１３記載の治療剤解放性材料。
【請求項１５】
前記生体適合性ポリマーバリアはシリコーン組成物である、請求項９記載の治療剤解放性材料。
【請求項１６】
前記治療剤はリン酸デキサメタゾンナトリウムである、請求項９記載の治療剤解放性材料。
【請求項１７】
少なくとも１つの表面を有するフィルムの形態の第一の生体適合性ポリマー材料及び前記フィルムの少なくとも一部の中に解放可能に取り込まれた治療剤、
前記第一の生体適合性ポリマー材料に取り込まれた前記治療剤に対して不透過性である生体適合性ポリマーバリア、及び、
前記フィルムの前記少なくとも１つの表面の実質的にすべてを覆っている不透過性キャッピング層、
を含む、治療剤解放性材料。
【請求項１８】
前記生体適合性ポリマーバリア中に少なくとも１つの開口部をさらに含む、請求項１７記載の治療剤解放性材料。
【請求項１９】
前記治療剤解放性材料の下にある基材材料をさらに含む、請求項１７記載の治療剤解放性材料。
【請求項２０】
前記基材は心臓ぺーシングリードの少なくとも一部である、請求項１９記載の治療剤解放性材料。
【請求項２１】
前記治療剤解放性材料は前記基材材料の周囲を少なくとも１回転巻かれている、請求項１９記載の治療剤解放性材料。
【請求項２２】
前記基材は心臓ぺーシングリードの少なくとも一部である、請求項２１記載の治療剤解放性材料。
【請求項２３】
前記治療剤解放性材料が巻かれたものはらせん状形態である、請求項２１記載の治療剤解放性材料。
【請求項２４】
前記基材は心臓ぺーシングリードの少なくとも一部である、請求項２３記載の治療剤解放性材料。
【請求項２５】
前記第一の生体適合性ポリマー材料はフルオロポリマー組成物を含む、請求項１７記載の治療剤解放性材料。
【請求項２６】
前記フルオロポリマーは多孔性ポリテトラフルオロエチレンである、請求項２５記載の治療剤解放性材料。
【請求項２７】
前記生体適合性ポリマーバリアはシリコーン組成物である、請求項１７記載の治療剤解放性材料。
【請求項２８】
前記治療剤はリン酸デキサメタゾンナトリウムである、請求項１７記載の治療剤解放性材料。
【請求項２９】
近位末端及び遠位末端を有する心臓ぺーシングリード要素、
前記近位末端での導電性コネクタ、
前記遠位末端にある電極、
前記コネクタを前記電極に接続する少なくとも１つの導電性要素を含み、
前記心臓ぺーシング要素の少なくとも一部は治療剤解放性材料により覆われており、該治療剤解放性材料は少なくとも１つの表面を有する第一の生体適合性ポリマー材料及びその少なくとも一部の中に解放可能に取り込まれた治療剤、ここで、前記第一の生体適合性ポリマー材料の一部は前記治療剤に対して不透過性である、及び、前記少なくとも１つの表面の実質的にすべてを覆っている前記治療剤に対して不透過性である第二の生体適合性ポリマー材料を含む、心臓ぺーシングリード。
【請求項３０】
前記第二の生体適合性ポリマー材料中に少なくとも１つの開口部をさらに含む、請求項２９記載の治療剤解放性材料。
【請求項３１】
前記第一の生体適合性ポリマー材料はフルオロポリマー組成物を含む、請求項２９記載の治療剤解放性材料。
【請求項３２】
前記フルオロポリマーは多孔性ポリテトラフルオロエチレンである、請求項３１記載の治療剤解放性材料。
【請求項３３】
前記第二の生体適合性ポリマー材料はシリコーン組成物である、請求項２９記載の治療剤解放性材料。
【請求項３４】
前記治療剤はリン酸デキサメタゾンナトリウムである、請求項２９記載の治療剤解放性材料。
【請求項３５】
近位末端及び遠位末端を有するリード要素、
前記近位末端での導電性コネクタ、
前記遠位末端にある電極、
前記コネクタを前記電極に接続する少なくとも１つの導電性要素、
前記遠位末端にあるチューブ状リード先端部を含み、
前記心臓ぺーシング要素の少なくとも一部は治療剤解放性材料により覆われており、該治療剤解放性材料は少なくとも１つの表面を有する第一の生体適合性ポリマー材料及びその少なくとも一部の中に解放可能に取り込まれた治療剤、ここで、前記第一の生体適合性ポリマー材料の一部は前記治療剤に対して不透過性である、及び、前記少なくとも１つの表面の実質的にすべてを覆っている前記治療剤に対して不透過性である第二の生体適合性ポリマー材料を含む、導電性リード。
【請求項３６】
前記第二の生体適合性ポリマー材料中に少なくとも１つの開口部をさらに含む、請求項３５記載の治療剤解放性材料。
【請求項３７】
前記第一の生体適合性ポリマー材料はフルオロポリマー組成物を含む、請求項３５記載の治療剤解放性材料。
【請求項３８】
前記フルオロポリマーは多孔性ポリテトラフルオロエチレンである、請求項３７記載の治療剤解放性材料。
【請求項３９】
前記第二の生体適合性ポリマー材料はシリコーン組成物である、請求項３５記載の治療剤解放性材料。
【請求項４０】
前記治療剤はリン酸デキサメタゾンナトリウムである、請求項３５記載の治療剤解放性材料。